(57)【特許請求の範囲】
【請求項１】
内容物が入れられた袋を収容可能な容器本体と、
前記袋の開封口の近傍に内方から接して当該開封口を拡開状態に保持可能なリテーナと、
を備えた詰替え可能な容器であって、
前記容器本体に収容されること、前記袋を収容すること、及び前記リテーナを保持することが可能なホルダであって、前記リテーナを保持するためのリテーナ保持部、前記袋の少なくとも下面を保持するための袋保持部、側面及び底面の少なくとも一方に少なくとも１つの制御開口部、及び前記袋を挿入し収容するための上面開口部を有するホルダを更に備え、
開封された前記袋を前記ホルダ内に収容した状態で、前記リテーナによって前記袋の前記開封口を拡開状態に保持するように前記リテーナを前記リテーナ保持部で保持したときに、前記ホルダによって、前記リテーナと前記袋との間の高さ方向の相対移動が規制されることを特徴とする詰替え可能な容器。
【請求項２】
請求項１に記載の詰替え可能な容器であって、
少なくとも一つの前記制御開口部は、前記ホルダの側面から底面に亘り延在していることを特徴とする詰替え可能な容器。
【請求項３】
請求項１または２のいずれかに記載の詰替え可能な容器であって、
開封された前記袋を前記ホルダ内に収容した状態で、前記リテーナによって前記袋の前記開封口を拡開状態に保持するように前記リテーナを前記リテーナ保持部で保持すると、前記袋の前記開封口の少なくとも一部の移動が、前記リテーナの外面と前記ホルダの内面とによって規制されることを特徴とする詰替え可能な容器。
【請求項４】
請求項３に記載の詰替え可能な容器であって、
開封された前記袋を前記ホルダ内に収容した状態で、前記リテーナによって前記袋の前記開封口を拡開状態に保持するように前記リテーナを前記リテーナ保持部で保持すると、前記リテーナの外面と前記ホルダの内面との間で、前記袋の開封口の少なくとも一部が挟持されることを特徴とする詰替え可能な容器。
【請求項５】
請求項１ないし４のいずれかに記載の詰替え可能な容器であって、
前記ホルダの前記上面開口部には、略水平方向かつ外向きに延在するホルダタブが設けられており、
当該ホルダタブの先端は、前記ホルダが前記容器本体に収容されているときに、前記容器本体の開口部の外縁よりも外向きに突出することを特徴とする詰替え可能な容器。
【請求項６】
請求項１ないし５のいずれかに記載の詰替え可能な容器であって、
前記リテーナと前記ホルダとを互いに固定するための固定構造を更に備えたことを特徴とする詰替え可能な容器。
【請求項７】
請求項１ないし６のいずれかに記載の詰替え可能な容器の内部に、前記内容物が入れられた袋であって未開封のものを収容してなる包装体。
【発明の詳細な説明】
【技術分野】
【０００１】
本発明は、詰替え可能な容器であって内容物の漏出の抑制が考慮されたもの、並びに当該容器を用いた包装体に関する。
【背景技術】
【０００２】
粉ミルクなどの内容物が入れられた袋を、容器本体に収容するようにした詰替え可能な容器が種々提案されている。特許文献１が開示する容器は、内容物が入れられた袋と、この袋が挿入される容器本体と、当該容器本体の開口部に嵌め込まれる際に袋の開封口を拡開する拡開部材とを備えている。拡開部材は、下向きに延在するファンネル（漏斗）状のガイド部を有し、このガイド部が開封口に侵入しつつこれを拡開する。
【先行技術文献】
【特許文献】
【０００３】
【特許文献１】特許第５３１４０６９号公報
【発明の概要】
【発明が解決しようとする課題】
【０００４】
しかしながら、特許文献１の容器では、拡開された袋の開封口と拡開部材との間隙から、内容物が容器本体内に漏出する場合が少なくない。
【０００５】
そこで本発明の目的は、詰替え可能な容器において、内容物が容器本体内に漏出するおそれを抑制することにある。
【課題を解決するための手段】
【０００６】
本発明に係る詰替え可能な容器は、
内容物が入れられた袋を収容可能な容器本体と、
前記袋の開封口の近傍に内方から接して当該開封口を拡開状態に保持可能なリテーナと、
を備えた詰替え可能な容器であって、
前記容器本体に収容されること、前記袋を収容すること、及び前記リテーナを保持することが可能なホルダであって、前記リテーナを保持するためのリテーナ保持部、及び前記袋の少なくとも下面を保持するための袋保持部を有するホルダを更に備え、
開封された前記袋を前記ホルダ内に収容した状態で、前記リテーナによって前記袋の前記開封口を拡開状態に保持するように前記リテーナを前記リテーナ保持部で保持したときに、前記ホルダによって、前記リテーナと前記袋との間の高さ方向の相対移動が規制されることを特徴とする。
【０００７】
本発明では、開封された袋をホルダ内に収容した状態で、リテーナによって袋の開封口を拡開状態に保持するように前記リテーナを前記リテーナ保持部で保持すると、ホルダによって、リテーナと袋との間の高さ方向の相対移動が規制される。このため、開封された袋をホルダ内に収容してリテーナをセットする行程を、容器本体の外で行うことにより、袋の開封口とリテーナとの適切な相対位置関係を容易に確立できると共に、この適切な相対位置関係を維持したままこれらを容器本体に収容することができ、したがって内容物が容器本体内に漏出するおそれを抑制することができる。
【０００８】
好適には、前記ホルダはその側面及び底面の少なくとも一方に少なくとも１つの制御開口部を有し、当該制御開口部を通じて、当該ホルダ内に収容された前記袋の外面にユーザが前記ホルダの外から接触して前記袋の姿勢を制御可能である。
【０００９】
この態様では、開封された袋をホルダ内に収容してリテーナをセットする行程を、容器本体の外で行うときに、袋の開封口とリテーナとの適切な相対位置関係の確立を更に容易化することができる。
【００１０】
好適には、少なくとも一つの前記制御開口部は、前記ホルダの側面から底面に亘り延在している。
【００１１】
この態様では、袋の姿勢の水平方向の変更と上下方向の変更とを容易化することができる。
【００１２】
好適には、開封された前記袋を前記ホルダ内に収容した状態で、前記リテーナによって前記袋の前記開封口を拡開状態に保持するように前記リテーナを前記リテーナ保持部で保持すると、前記袋の前記開封口の少なくとも一部の移動が、前記リテーナの外面と前記ホルダの内面とによって規制される。
【００１３】
この態様では、袋の開封口とリテーナとの相対位置関係の悪化や、両者の間の隙間の発生及び拡大を抑制することができる。
【００１４】
好適には、開封された前記袋を前記ホルダ内に収容した状態で、前記リテーナによって前記袋の前記開封口を拡開状態に保持するように前記リテーナを前記リテーナ保持部で保持すると、前記リテーナの外面と前記ホルダの内面との間で、前記袋の開封口の少なくとも一部が挟持される。
【００１５】
この態様では、袋の開封口とリテーナとの相対位置関係の悪化や、両者の間の隙間の発生及び拡大を、更に効果的に抑制することができる。
【００１６】
好適には、前記ホルダの前記上面開口部には、略水平方向かつ外向きに延在するホルダタブが設けられており、当該ホルダタブの先端は、前記ホルダが前記容器本体に収容されているときに、前記容器本体の開口部の外縁よりも外向きに突出する。
【００１７】
この態様によれば、ホルダを容器本体内にセットする際に、ホルダタブを把持した手指の容器本体の開口部との干渉が抑制されるので、袋が収容されリテーナがセットされたホルダを、容器本体にセットする作業、及び容器本体から取り外す作業を容易にすることができる。
【００１８】
好適には、容器は、前記リテーナと前記ホルダとを互いに固定するための固定構造を更に備える。
【００１９】
この態様によれば、袋の開封口とリテーナとの相対位置関係を好適に維持でき、詰替え時や詰替え後における漏出の抑制を更に促進することができる。
【００２０】
本発明の別の態様は、詰替え可能な容器の内部に、前記内容物が入れられた袋であって未開封のものを収容してなる包装体である。
【００２１】
この態様によれば、内容物が入れられた袋と容器とを一体的に製造・流通・販売することができ好適である。
【図面の簡単な説明】
【００２２】
【図１】本発明の第１実施形態に係る詰替え可能な容器の縦断面を示す正面図である。
【図２】第１実施形態に係る詰替え可能な容器の縦断面を示す側面図である。
【図３】第１実施形態に係る詰替え可能な容器の縦断面を示す要部拡大図である。
【図４】第１実施形態における容器本体及び蓋体を示す平面図である。
【図５】第１実施形態におけるリテーナ及びホルダを示す平面図である。
【図６】ホルダに袋をセットする行程を示す斜視図である。
【図７】ホルダにリテーナをセットする行程を示す斜視図である。
【図８】袋及びリテーナがセットされたホルダを容器本体にセットする行程を示す斜視図である。
【図９】袋・リテーナ及びホルダがセットされた詰替え後の容器を示す斜視図である。
【図１０】第２実施形態におけるホルダを示す斜視図である。
【図１１】第２実施形態におけるホルダの接続部を示す斜視図である。
【図１２】第２実施形態におけるホルダの接続部を示す側面図である。
【図１３】第２実施形態に係る詰替え可能な容器の縦断面を示す正面図である。
【図１４】第２実施形態におけるホルダの別の構成例を示す正面図である。
【図１５】開封前の袋を示す斜視図である。
【図１６】開封後の袋を示す斜視図である。
【発明を実施するための形態】
【００２３】
本発明の実施形態について、以下に図面に従って説明する。図１及び図２において、本発明の第１実施形態の詰替え可能な容器１（以下適宜「容器１」という）は、粉ミルクなどの粉状物の包装に用いられるものであり、容器本体２と、蓋体３と、リテーナ４と、ホルダ５とを有する。容器１は、内容物６が入れられた詰替え用の袋７を収容可能である。なお、内容物６は任意の粉体物又は粒体物とすることができる。
【００２４】
袋７は、周知のガセット袋であり、内容物６を収容した状態では、概ね矩形の底面形状を有する。図１５に示されるように、袋７は、詰替え前には内容物６を収容した状態で密封されている。袋７は、封緘部７ａにおいて、密封手段（例えばヒートシール）によって密封される。封緘部７ａは、詰替えの際にユーザにより切り取り予定線７ｂに沿って切断され除去され、これによって袋７が開封される。切り取り予定線７ｂは、切り取りが袋７における予定された高さ位置で行われるように、開封案内構造（例えばミシン目など）によって構成されている。図１６に示されるように、封緘部７ａが除去されると、袋７には開封口７ｃが形成される。開封口７ｃには、ガセット袋の通常の仕様に起因して、内向きに折り込まれた内向きノッチ部７ｄが存在する。袋７の材料は任意であり、例えば樹脂フィルム、紙、不織布、金属箔又はこれらの任意の組合せからなるシート状材料を好適に用いることができる。
【００２５】
図１及び２において、容器本体２は、概ね直方体であって上面が開口部２ａ（図３参照）とされており、また前後壁２ｂと、左右壁２ｃと、底壁２ｄとを有する。容器本体２の内部は、底壁２ｄから開口部２ａに向けていわゆる抜け勾配、すなわち底壁２ｄから開口部２ａに向けて水平断面形状が徐々に拡大するように構成されている。開口部２ａの近傍には、水平方向かつ外向きに突出する支持リム２ｅ（図１参照）、及び上向きに突出する係合リム２ｆ（図２参照）が設けられている。支持リム２ｅは、開口部２ａの全周にわたって延在しており、後述するリテーナ４、ホルダ５及び蓋体３の支持を促進すると共に、容器本体２を補強している。係合リム２ｆは、開口部２ａの全周のうち、後述するホルダ５の係合リム５ｈ（図２参照）に相当する部分を除いた部分にわたって延在している。
【００２６】
蓋体３は、容器本体２の開口部２ａを覆うように構成されている。蓋体３には、２つの支持アーム３ａ及びこれらに両端が固定された回動軸３ｂ（図２・図９参照）を有する。回動軸３ｂに対応して、図４に示されるように、容器本体２には下向きアーム２ｇ及び一対の上向きアーム２ｈが設けられている。下向きアーム２ｇの下面及び上向きアーム２ｈの上面にはそれぞれ溝が設けられており、これらの溝の間で回動軸３が挟まれて、回動自在に支持される。
【００２７】
蓋体３にはまた、可撓性のあるいは旋回可能な固定具３ｃ（図１・図２・図４参照）が設けられている。固定具３ｃには係止孔３ｄ（図１参照）が設けられており、これによって、固定具３ｃが容器本体２の係止片２ｉ（図２参照）に係合し、蓋体３を閉鎖状態にロックすることができる。蓋体３の縁部には、その全周に亘り、後述するリテーナ４の嵌合部４ａの上面に嵌合するための嵌合部３ｅが設けられている。この嵌合はスナップ係合とすることができる。
【００２８】
リテーナ４は、袋７の開封口７ｃの近傍に内方から接して、当該開封口７ｃを拡開状態に保持可能に構成されている。図１・図２・図５等に示されるように、リテーナ４は、嵌合部４ａと、リテーナタブ４ｂと、ファンネル部４ｃとを有する。嵌合部４ａは、容器本体２及びホルダ５に嵌合可能である。リテーナタブ４ｂは、ユーザによるリテーナ４の保持を促進するものであり、嵌合部４ａの平面視における２つの短辺の中央部から、略水平方向かつ外向きにそれぞれ延在する。ファンネル部４ｃは、平面視で概ね矩形の環状ないし枠状をなしており、袋７の開封口７ｃの内側への挿入を支援するために、これに囲まれた部分の水平断面形状が下方ほど小さくされている。ファンネル部４ｃの平面視における２つの短辺の下端部には、袋７への挿入を容易にするための挿入補助片４ｄがそれぞれ斜め下向きに延設されている。
【００２９】
リテーナ４は更に、その形状を保持すると共に、不図示のスプーンで内容物６を取り出した後に、余分な量を掻きとって定量する為の仕切り板４ｅ（図１・図５）を有する。
【００３０】
ホルダ５は、容器本体２に収容されること、袋７を収容すること、及びリテーナ４を保持することが可能である。ホルダ５は、筒状部５ａと、下向きに延在する袋保持部５ｂと、上向きに延在する２つのアーム５ｃ，５ｃとを有する。筒状部５ａは、平面視で概ね矩形の環状ないし枠状をなしている。筒状部５ａは、上方に向けていわゆる抜け勾配、すなわち上方に向けて水平断面形状が徐々に拡大するように構成されている。
【００３１】
袋保持部５ｂは、概ねループ状をなしており、筒状部５ａの平面視における２つの長辺の各中央部分からそれぞれ下向きに延在する垂下片５ｄ，５ｄと、これら垂下片５ｄ，５ｄの下端部を連結する底部片５ｅとを有する。垂下片５ｄ，５ｄの間隔も抜け勾配、すなわち上方に向けて間隔が徐々に拡大するように構成されている。底部片５ｅは、その概ね水平な上面で、袋７の底部を保持することができる。なお、図１・図２では理解の容易のために、袋７の底部が底部片５ｅから浮上して描かれているが、現実の使用の際には袋７の底部は底部片５ｅの上面に当接する。ホルダ５は底部片５ｅによって自立可能である。
【００３２】
袋保持部５ｂに隣接するホルダ５の左右側方には、２つの制御開口部５ｆ，５ｆが形成される。制御開口部５ｆ，５Ｆは十分な大きさを有するため、この制御開口部５ｆ，５ｆを通じて、ホルダ５内に収容された袋７の外面に、ユーザがホルダ５の外から接触して、袋７の姿勢を制御することが可能である。制御開口部５ｆ，５ｆは、ホルダ５の側面から底面に亘り延在しており、これによって袋７の側面及び底面をそれぞれ部分的に露出させている。
【００３３】
２つのアーム５ｃは、筒状部５ａの平面視における短辺の中央部から、斜め上向きに延在している。アーム５ｃの先端は、略水平方向かつ外向きに延在するホルダタブ５ｇとされている。ホルダタブ５ｇは、ユーザによるホルダ５の保持を促進するものである。上述したリテーナ４のリテーナタブ４ｂの外周縁部には、その全周にわたって、下向きに突出する係合リム４ｆ（図１・図３参照）が設けられており、この係合リム４ｆによって、リテーナタブ４ｂとホルダタブ５ｇとを互いに嵌合させることができる。この嵌合はスナップ係合とすることができる。ホルダタブ５ｇはリテーナ４を保持することができ、したがって、ホルダタブ５ｇの上面は本発明におけるリテーナ保持部を構成する。
【００３４】
ホルダタブ５ｇの基部には、上向きの係合リム５ｈが設けられている。係合リム５ｈには、上述したリテーナ４の嵌合部４ａが嵌合する。係合リム５ｈ及び嵌合部４ａの少なくとも一方には、両者を互いにスナップ係合させるための構造、例えば突起、凹部や通孔を設けることができる。
【００３５】
アーム５ｃの上端部の近傍であってホルダタブ５ｇの下側には、図３に示されるように、容器本体２の開口部２ａと嵌合するための突起５ｉが設けられている。この嵌合はスナップ係合とすることができる。突起５ｉはアーム５ｃの幅方向の全体に亘って延在していても良く、また一部のみに亘っていても、単一のアーム５ｃにつき複数設けても良い。
【００３６】
容器１の各部の材質には、任意のものを用いることができ、特に樹脂が好適である。例えば、容器本体２・蓋体３・ホルダ５をポリエチレンとし、リテーナ４をポリプロピレンとするのが特に好適であるが、これらに限られない。容器本体２・蓋体３・リテーナ４・ホルダ５のうち任意のものを、透明又は半透明としても良い。
【００３７】
以上のとおり構成された本発明の第１実施形態の容器１を用いて、袋７の詰め替えを行う方法について説明する。
【００３８】
まず、図６に示されるように、開封した袋７を、ホルダ５にセット（すなわち収容）する。袋７は、ホルダ５の袋保持部５ｂに保持され、袋７の底面がホルダ５の底部片５ｅの上面に接する。これによって、袋７の開封口７ｃとホルダ５との高さ方向の適切な相対位置関係が確立される。
【００３９】
次に、図７に示されるように、袋７の開封口７ｃの内向きノッチ部７ｄをホルダ５の内周面に向けて外向きに拡げながら、リテーナ４をホルダ５にセット（すなわち収容）する。このときユーザは、リテーナ４のリテーナタブ４ｂを、ホルダ５のホルダタブ５ｇに嵌合させる。リテーナ４はホルダタブ５ｇの上面で保持される。その結果、リテーナ４によって袋７の開封口７ｃが拡開状態に保持され、かつそのときに、ホルダ５によって、リテーナ４と袋７との間の高さ方向の相対移動が規制され、袋７の開封口７ｃとリテーナ４との適切な相対位置関係が確立される。
【００４０】
このようにしてリテーナ４がホルダ５にセットされると、これらを容器本体２内にセットする前であれば、ホルダ５の制御開口部５ｆ，５ｆを通じて、ホルダ５内に収容された袋７の外面に、ユーザがホルダ５の外から手指でアクセスすなわち接触して、ホルダ５内における袋７の姿勢を制御することが可能である。したがって、袋７の開封口７ｃの一部又は全部が、ホルダ５の筒状部５ａとリテーナ４のファンネル部４ｃとの間から外れたり、筒状部５ａとファンネル部４ｃとの間でしわになって詰まるなどの不適切なセット状態が生じた場合には、リテーナ４とホルダ５とを容器本体２内にセットする前であれば、これを容易に外部から視認できると共に、必要に応じてリテーナタブ４ｂとホルダタブ５ｇとの嵌合を解除してリテーナ４をホルダ５から浮上させ、制御開口部５ｆを通じた袋への直接のアクセスにより袋７の姿勢を変更してから、リテーナ４を再びセットするなどの修正を容易に行うことができる。
【００４１】
次に、図８に示されるように、リテーナ４がセットされたホルダ５を、容器本体２内にセットする。このとき、ホルダ５によって袋７が保持されているため、袋７の開封口７ｃとリテーナ４との適切な相対位置関係を維持したまま、リテーナ４がセットされたホルダ５を容器本体２に収容することができる。また、ホルダ５の保持部５ｂによって、袋７の側面が保持されるため、袋７が重みで膨らみ挿入しづらくなる事態が防止され、セットし易くなる。リテーナ４の嵌合部４ａは、容器本体２の係合リム２ｆに嵌合し、リテーナタブ４ｂは２つの係合リム２ｆの間の領域に納まる。ここでリテーナタブ４及びホルダタブ５の先端は、容器本体２の開口部の外縁（支持リム２ｅの外縁）よりも外向きに突出するので、ホルダ５を容器本体２内にセットする際に、リテーナタブ４及びホルダタブ５を把持した手指の容器本体２との干渉が抑制され、リテーナ４及びホルダ５を容器本体２にセットする作業を容易にすることができる。
【００４２】
以上のようにして、図９に示されるように、リテーナ４及びホルダ５が容器本体２内にセットされる。ユーザは蓋体３を閉じて、容器本体２の開口部を被覆し、固定具３ｃを容器本体２の係止片２ｉに係合させることで、蓋体３を閉鎖状態にロックすることができる。
【００４３】
以上のとおり、本実施形態の容器１は、容器本体２に収容されることが可能なホルダ５であって、リテーナ４を保持するためのリテーナ保持部、及び袋７の少なくとも下面を保持するための袋保持部５ｂを有するホルダ５を更に備えた。その結果、開封された袋７をホルダ５内に収容した状態で、リテーナ４によって袋７の開封口７ｃを拡開状態に保持するようにリテーナ４をリテーナ保持部（ホルダタブ５ｇの上面）で保持すると、ホルダ５によって、リテーナ４と袋７との間の高さ方向の相対移動が規制される。このため、開封された袋７をホルダ５内に収容してリテーナ４をセットする行程を、容器本体２の外で行うことにより、袋７の開封口７ｃとリテーナ４との適切な相対位置関係を容易に確立できると共に、この適切な相対位置関係を崩れないように維持したままこれらを容器本体２に収容することができ、したがって内容物６が容器本体２内に漏出するおそれを抑制することができる。
【００４４】
また、本実施形態では、ホルダ５はその側面及び底面の少なくとも一方に少なくとも１つの制御開口部５ｆを有し、当該制御開口部５ｆを通じて、ホルダ５内に収容された袋７の外面にユーザがホルダ５の外から接触して袋７の姿勢を制御可能である。したがって、開封された袋７をホルダ５内に収容してリテーナ４をセットする行程を、容器本体２の外で行うときに、袋７の開封口７ｃとリテーナ４との適切な相対位置関係の確立や再確立を更に容易化することができる。
【００４５】
また、本実施形態では、少なくとも一つの制御開口部５ｆは、ホルダ５の側面から底面に亘り延在している。したがって、袋７の姿勢の水平方向の変更と上下方向の変更とを容易化することができる。
【００４６】
また、本実施形態では、開封された袋７をホルダ５内に収容した状態で、リテーナ４によって袋７の開封口７ｃを拡開状態に保持するようにリテーナ４をリテーナ保持部（ホルダタブ５ｇの上面）で保持すると、袋７の開封口７ｃの少なくとも一部の移動（特に、水平方向の移動）が、リテーナ４の外面とホルダ５の内面とによって規制される。その結果、リテーナ４とホルダ５との間における袋７のしわや折れの発生が抑制され、これによって、袋７の開封口７ｃとリテーナ４との相対位置関係の悪化や、両者の間の隙間の発生及び拡大を抑制することができる。
【００４７】
また、本実施形態では、開封された袋７をホルダ５内に収容した状態で、リテーナ４によって袋７の開封口７ｃを拡開状態に保持するようにリテーナ４をリテーナ保持部（ホルダタブ５ｇの上面）で保持すると、リテーナ４の外面とホルダ５の内面との間で、袋７の開封口７ｃの少なくとも一部が挟持される。したがって、袋７の開封口７ｃとリテーナ４との相対位置関係の悪化や、両者の間の隙間の発生及び拡大を、更に効果的に抑制することができる。なお、リテーナ４の外面とホルダ５の内面との間における開封口７ｃの移動の規制及び挟持は、いずれも、リテーナ４及びホルダ５の全周にわたる領域で行われてもよく、また一部のみで行われても良い。
【００４８】
また、本実施形態では、ホルダ５の上面開口部には、略水平方向かつ外向きに延在するホルダタブ５ｇが設けられており、ホルダタブ５ｇの先端は、ホルダ５が容器本体２に収容されているときに、容器本体２の開口部の外縁よりも外向きに突出する。したがって、ホルダ５を容器本体２内にセットする際に、ホルダタブ５ｇを把持した手指の容器本体２の開口部との干渉が抑制されるので、袋７が収容されリテーナ４がセットされたホルダ５を、容器本体２にセットする作業、及び容器本体２から取り外す作業を容易にすることができる。但しホルダタブ５ｇの存在しない領域においては、容器本体２の支持リム２ｅ（図１・図３参照）はホルダタブ５ｇ及びリテーナタブ４ｂと等しい側方位置や、これらよりも外側の側方位置にまで延在していても良い。
【００４９】
また、本実施形態では、容器１は、リテーナ４とホルダ５とを互いに固定するための固定構造である係合リム４ｆを更に備える。したがって、袋７の開封口７ｃとリテーナ４との相対位置関係を好適に維持でき、詰替え時や詰替え後における漏出の抑制を更に促進することができる。なお、リテーナ４とホルダ５とを互いに固定するための固定構造は、本実施形態における態様に限られず、各種の他の固定構造を採用できる。そのような他の固定構造は、例えばリテーナ４とホルダ５との一方に設けた突起が、他方に設けた相補構造の孔に嵌合する形式のものであってもよい。固定構造としてはスナップ係合を用いるものが、係合及び分離の繰返しが可能である点で特に好適である。
【００５０】
本実施形態に係る容器１を用いて、容器１の内部に、内容物６が入れられた袋７であって未開封のものを収容してなる包装体（図示せず）を構成することができる。この態様によれば、内容物６が入れられた袋７と容器とを一体的に製造・流通・販売することができ好適である。
【００５１】
なお、リテーナ４をホルダ５にセットしたとき、リテーナ４のファンネル部４ｃと、ホルダ５の筒状部５ａとの間には、隙間があってもなくても良い。隙間がない場合には、ファンネル部４ｃと筒状部５ａとの間で、袋７の開封口７ｃが挟持されることになり、リテーナ４と袋７との間からの内容物６の漏出を抑制でき、またこの挟持に係る摩擦力によって、リテーナ４と袋７の相対位置関係を好適に維持することができる。また隙間が多少ある場合にも、ファンネル部４ｃと筒状部５ａとの間で、袋７の開封口７ｃの移動が規制されることになり、袋７のしわや折れの発生を抑制できるため、リテーナ４と袋７との相対位置関係を好適に維持することができる。隙間が小さいほど、内容物６の漏れを抑制するために有利であるが、この目的でリテーナ４のファンネル部４ｃの水平断面形状をより大きく設計すると、それだけ、リテーナ４をセットする際に袋７の開封口７ｃの近傍を座屈させてしまい、当該間隙の密封を促進できないおそれが大きくなってしまう。したがって、当該隙間の大きさは、袋７の素材の機械的特性（特に硬さ）などに応じて実験的に定めるのが好適である。
【００５２】
次に、本発明の第２実施形態について説明する。図１０ないし図１２に示される第２実施形態は、リテーナ１４及びホルダ１５を用いるものである。図１０において、ホルダ１５は、第１半体１５１と、第２半体１５２とから構成されている。これら第１半体１５１、第２半体１５２は、概ね互いに同一の形状を有するが、第１半体１５１にのみ、アーム１５ｃが設けられている。アーム１５ｃには、ホルダタブ１５ｇ及び係合リム１５ｈが設けられている。これらアーム１５ｃ、ホルダタブ１５ｇ及び係合リム１５ｈの形状及び構造は、上述した第１実施形態におけるアーム５ｃ、ホルダタブ５ｇ及び係合リム５ｈとそれぞれ同様である。第１半体１５１は、ループ状の袋保持部１５ｂを有し、袋保持部１５ｂは、２つの斜行片１５ｄ，１５ｄ及び底部片１５ｅから構成されている。袋７の底部は、底部片１５ｅの上面に当接して支持される。第１半体１５１の短辺１５ａと、２つの斜行片１５ｄ，１５ｄとにわたって、畝状のリブ１５ｊが設けられている。
【００５３】
第１半体１５１と第２半体１５２とを相互に結合するための結合構造は、図１０では図示を省略されており、図１１・図１２に示されている。図１１・図１２において、底部片１５ｅには、先端に爪１５ｋを有する嵌合突起１５ｍと、この嵌合突起１５ｍと相補的な断面形状を有する嵌合溝１５ｎとが設けられている。嵌合溝１５ｎの奥には、爪１５ｋが嵌合可能な係合部１５ｐが設けられている。嵌合溝１５ｎの断面形状は、図１２に示されるような蟻溝形である。
【００５４】
図１３において、リテーナ１４は、嵌合部１４ａと、リテーナタブ１４ｂと、ファンネル部１４ｃとを有する。第１半体１５１にのみホルダタブ１５ｇが設けられていることに対応して、リテーナタブ１４ｂは１つだけ設けられている。リテーナタブ１４の先端には、ホルダタブ１５ｇと嵌合するための係合リム１４ｆが設けられている。
【００５５】
ファンネル部１４ｃは、概ね鉛直方向に延在する鉛直壁部１４ｇと、その下端部から斜行する斜行壁部１４ｈとを有する。これら鉛直壁部１４ｇと斜行壁部１４ｈとの境界である頂部１４ｉは、ホルダ１５にリテーナ１４がセットされたときに、ホルダ１５のリブ１５ｊよりもわずかに上に位置し、かつ頂部１４ｉの頂点がリブ１５ｊの頂点よりも外側に位置する。これによって、セットされた袋７の開封部７ｃの近傍を略クランク状にわずかに弾性変形させ、その姿勢及び形状の維持を促進することができる。このとき、ファンネル部１４ｃとリブ１５ｊとの間には隙間があってもなくても良い。
【００５６】
リテーナ１４はまた、ホルダ１５にセットされたときに第２半体１５２の短辺１５ａを挟持するための挟持片１４ｊを有する。挟持片１４ｊは短辺１５ａの両端部を挟持するように、平面視におけるリテーナ１４の短辺の２箇所に設けられているが、短辺１５ａの全体にわたる幅に設けても良い。第２実施形態の残余の構成は、上述した第１実施形態と同様である。
【００５７】
以上のとおり構成された第２実施形態では、開封した袋７を、ホルダ１５にセット（すなわち収容）し、次に、袋７の開封口７ｃをホルダ１５の内周面に向けて外向きに拡げながら、リテーナ４をホルダ５にセット（すなわち収容）する。このとき、袋７の開封口７ｃは、その図１３中の左右両端部において、リテーナ１４のファンネル部１４ｃとホルダ１５の短辺１５ａとの間に配置される。開封口７ｃの移動は、リテーナ１４のファンネル部１４ｃの外面とホルダ１５の短辺１５ａの内面とによって規制される。
【００５８】
図１４は、ホルダの別の構成例を示す。別の構成例に係るホルダ２５は、第１半体２５１及び第２半体２５２を有する。これら第１半体２５１及び第２半体２５２は、例えば射出成型により一体的に形成され、両者の間にヒンジ部２５ａを有する。第２半体２５２には、先端に爪２５ｂを有する嵌合突起２５ｃが設けられ、第１半体２５１には、爪２５ｂと相補的な断面形状を有する係合溝２５ｃが設けられている。ヒンジ部２５ａを支点に、第２半体を図中矢印Ａ方向に旋回させ、二点鎖線Ｂの姿勢に引き起こして、爪２５ｂと係合溝２５ｃとを係合させることにより、ホルダ２５を使用可能な状態にすることができる。なお、この別の構成例に係るホルダ２５では、第１半体２５１及び第２半体２５２の両方にアーム１５ｃ、ホルダタブ１５ｇ及び係合リム１５ｈが設けられている。この変形例のホルダ２５によれば、第１半体２５１と第２半体２５２とを一体的に製造及び管理でき、また組立前の保管スペースを抑制することができる。
【００５９】
なお、本発明の範囲は上記各実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。例えば、ホルダの袋保持部はループ状としたが、袋の下面の少なくとも一部を保持しうるもの、特に水平方向に延在する要素を有するものであれば、ループ状に限らず他の形状であっても良い。
【００６０】
制御開口部のないホルダを用いても良い。制御開口部はホルダの側面のみ、あるいは底面のみにわたるものであっても良く、位置・形状及び個数は任意である。ホルダタブ及びリテーナタブの位置・形状及び個数も任意である。ホルダタブ及びリテーナタブの形状は、互いに対応していなくても良い。ホルダタブ及びリテーナタブとは別途に、前記リテーナを保持するためのリテーナ保持部や、リテーナとホルダとを互いに固定するための固定構造を設けても良い。ホルダはその一部又は全部がメッシュ状ないし多孔状であっても良い。
【００６１】
本発明の容器は、食品以外の他の物品、例えば粉状洗剤などの包装にも使用できる。また上記各実施形態では、容器及び袋の平面視形状は略矩形としたが、円形や楕円形など他の形状であっても良く、かかる構成も本発明の範疇に属するものである。
【符号の説明】
【００６２】
１  詰替え可能な容器
２  容器本体
３  蓋体
４  リテーナ
４ｂ  リテーナタブ
４ｆ  係合リム
５，１５，２５  ホルダ
５ｂ  袋保持部
５ｆ，１５ｆ，２５ｆ  制御開口部
５ｇ，１５ｇ  ホルダタブ
６  内容物
７  袋
【図１】
0006515494.tif 000002
【図２】
0006515494.tif 000003
【図３】
0006515494.tif 000004
【図４】
0006515494.tif 000005
【図５】
0006515494.tif 000006
【図６】
0006515494.tif 000007
【図７】
0006515494.tif 000008
【図８】
0006515494.tif 000009
【図９】
0006515494.tif 000010
【図１０】
0006515494.tif 000011
【図１１】
0006515494.tif 000012
【図１２】
0006515494.tif 000013
【図１３】
0006515494.tif 000014
【図１４】
0006515494.tif 000015
【図１５】
0006515494.tif 000016
【図１６】
0006515494.tif 000017